(57)【要約】【課題】除菌浄水効果と、警告装置が水温を検出して表示する温度警告機能とを有する浴室用浄水器を提供する。【解決手段】浴室用浄水器は、外側螺合部１１、内側螺合部１２及び水流通路１３を有する筐体１０と、水流通路１３上に配置される少なくとも１つの濾過部材１４と、筐体１０上に配置されるとともに、水温に応じて異なる警告メッセージを表示する警告灯２１と、水流通路１３中に貫設されて水温を検出する感温素子２２とを有する警告装置２０と、外側螺着部３１と、筐体１０の外側螺合部１１に螺合固定される内側螺着部３２とを有し、水流をガイドする上、濾過部材１４を筐体１０のチャンバ１５内に固定する蓋体３０とを備える。濾過部材１４は、スポンジフィルタ、光触媒、活性炭、芳香剤、麦飯石又は沸石である。【選択図】図２
0003170397.tif 000002
【実用新案登録請求の範囲】
【請求項１】
外側螺合部、内側螺合部及び水流通路を有する筐体と、
前記水流通路上に配置された少なくとも１つの濾過部材と、
前記筐体上に配置されるとともに、水温に応じて異なる警告メッセージを表示する警告灯と、前記水流通路中に貫設されて水温を検出する感温素子と、を有する警告装置と、
外側螺着部と、前記筐体の外側螺合部に螺合固定された内側螺着部と、を有し、水流をガイドする上、前記濾過部材を前記筐体のチャンバ内に固定する蓋体と、を備えることを特徴とする浴室用浄水器。
【請求項２】
前記濾過部材は、スポンジフィルタ、光触媒、活性炭、芳香剤、麦飯石又は沸石であることを特徴とする請求項１に記載の浴室用浄水器。
【請求項３】
２つの通水部材及び止水パッキンをさらに備え、
前記止水パッキン及び一方の前記通水部材は、前記蓋体の中間段部に配置され、他方の前記通水部材は、前記筐体のチャンバの底壁上に配置され、
前記２つの通水部材は、前記濾過部材を固定する上、水流を通過させることを特徴とする請求項１に記載の浴室用浄水器。
【請求項４】
発電ユニットをさらに備え、
前記筐体は、シャワーヘッド本体上に装着され、
前記発電ユニットは、前記シャワーヘッド本体の出水部付近に装着され、前記シャワーヘッド本体の水圧により電力を生成し、前記電力を前記警告装置に供給することを特徴とする請求項１に記載の浴室用浄水器。
【請求項５】
前記水流通路中に装着される安全弁をさらに備え、
水温が所定の高温値に到達したとき、前記安全弁の弁棒が前記水流通路を封鎖し、給水を停止することを特徴とする請求項１に記載の浴室用浄水器。
【請求項６】
出水調整ユニットをさらに備え、
前記出水調整ユニットは、ケーシングと、中空室と、前記蓋体の外側螺着部に固定される内ねじ山部と、複数の出水孔を有する出水盤と、第１の分水盤と、第２の分水盤と、調節レバーと、を有し、
前記濾過部材は、前記中空室内に装着され、前記調整レバーを操作し、前記第１の分水盤の通水孔と第２の分水盤の通水孔との位置関係を変更することにより、出水の態様が制御されることを特徴とする請求項１に記載の浴室用浄水器。
【請求項７】
前記筐体上に配置される給電ユニットをさらに備え、
前記給電ユニットは、電源プラグ及び充電池を有し、
前記電源プラグは、前記筐体の側壁上に着脱可能に装着され、前記電源プラグにより、外部電力が前記警告装置に供給されることを特徴とする請求項１に記載の浴室用浄水器。
【考案の詳細な説明】
【技術分野】
【０００１】
本考案は、除菌浄水効果及び温度警告機能を有する浴室用浄水器に関する。
【背景技術】
【０００２】
一般に、生活用水は、主に浄水場から供給される。浄水場では、飲料水としての安全基準及び衛生基準を満たすために、塩素処理が行われる。
【０００３】
浄水場において塩素処理が行われた水を飲用する場合、沸騰させることにより、塩素を除去することができる。しかし、一般に、水道水を入浴に使用する場合、水道水は直接使用される。しかし、水道水は、塩素処理が行われた後も一部雑菌及び不純物を含み、多量の塩素は、人体に害を与える。特に、生理中の女性又は幼児にとっては、入浴時に水道水を直接使用することにより、細菌に感染する虞がある。
【０００４】
また、一般に、浴室設備には、水温を制御する装置が設けられていない。従って、ユーザが浴室設備を使用するとき、まず、蛇口を開け、シャワーヘッドから出る水を手で触って温度を確認し、適当な温度になった後、入浴を開始するのが一般的である。また、従来の浴室設備においては、蛇口の弁の開閉を制御することにより、水温が急に上昇したり、急に低下したりするため、適当な水温に調整するのが不便である。さらに、水温が分からない状況で温水を使用するのは、大変危険であり、特に、幼児が使用する場合、注意する必要がある。
【考案の概要】
【考案が解決しようとする課題】
【０００５】
本考案の目的は、除菌浄水効果と、警告装置が水温を検出して表示する温度警告機能と、を有する浴室用浄水器を提供することにある。
【課題を解決するための手段】
【０００６】
上記課題を解決するために、外側螺合部、内側螺合部及び水流通路を有する筐体と、前記水流通路上に配置された少なくとも１つの濾過部材と、前記筐体上に配置されるとともに、水温に応じて異なる警告メッセージを表示する警告灯と、前記水流通路中に貫設されて水温を検出する感温素子と、を有する警告装置と、外側螺着部と、前記筐体の外側螺合部に螺合固定された内側螺着部と、を有し、水流をガイドする上、前記濾過部材を前記筐体のチャンバ内に固定する蓋体と、を備えることを特徴とする浴室用浄水器が提供される。
【０００７】
前記濾過部材は、スポンジフィルタ、光触媒、活性炭、芳香剤、麦飯石又は沸石であることが好ましい。
【０００８】
２つの通水部材及び止水パッキンをさらに備え、前記止水パッキン及び一方の前記通水部材は、前記蓋体の中間段部上に配置され、他方の前記通水部材は、前記筐体のチャンバの底壁上に配置され、前記２つの通水部材は、前記濾過部材を固定する上、水流を通過させることが好ましい。
【０００９】
発電ユニットをさらに備え、前記筐体は、シャワーヘッド本体上に装着され、前記発電ユニットは、前記シャワーヘッド本体の出水部付近に装着され、前記シャワーヘッド本体の水圧により電力を生成し、前記電力を前記警告装置に供給することが好ましい。
【００１０】
前記水流通路中に装着される安全弁をさらに備え、水温が所定の高温値に到達したとき、前記安全弁の弁棒が前記水流通路を封鎖し、給水を停止することが好ましい。
【００１１】
出水調整ユニットをさらに備え、前記出水調整ユニットは、ケーシングと、中空室と、前記蓋体の外側螺着部に固定される内ねじ山部と、複数の出水孔を有する出水盤と、第１の分水盤と、第２の分水盤と、調節レバーと、を有し、前記濾過部材は、前記中空室内に装着され、前記調整レバーを操作し、前記第１の分水盤の通水孔と第２の分水盤の通水孔との位置関係を変更することにより、出水の態様が制御されることが好ましい。
【００１２】
前記筐体上に配置される給電ユニットをさらに備え、前記給電ユニットは、電源プラグ及び充電池を有し、前記電源プラグは、前記筐体の側壁上に着脱可能に装着され、前記電源プラグにより、外部電力が前記警告装置に供給されることが好ましい。
【考案の効果】
【００１３】
本考案の浴室用浄水器は、濾過部材により、水道水中の塩素、不純物及び雑菌を濾過することができる。さらに、警告装置によって水温を監視し、感温素子によって水温を検出し、警告灯及び表示パネルによって水温を即座に表示することができる。そのため、本考案の浴室用浄水器は、除菌浄水効果及び温度警告機能を有する。
【図面の簡単な説明】
【００１４】
【図１】本考案の第１実施形態による浴室用浄水器の使用状態を示す側面図である。
【図２】本考案の第１実施形態による浴室用浄水器を示す断面図である。
【図３】本考案の第２実施形態による浴室用浄水器の使用状態を示す側面図である。
【図４】本考案の第２実施形態による浴室用浄水器を示す断面図である。
【図５】本考案の第３実施形態による浴室用浄水器を示す断面図である。
【図６】本考案の第４実施形態による浴室用浄水器を示す断面図である。
【図７】本考案の第４実施形態による浴室用浄水器を蛇口本体に装着した状態を示す側面図である。
【図８】本考案の一実施形態による浴室用浄水器の安全弁が水流を遮断する状態を示す断面図である。
【図９】本考案の第５実施形態による浴室用浄水器を示す分解斜視図である。
【図１０】本考案の第５実施形態による浴室用浄水器を示す断面図である。
【考案を実施するための形態】
【００１５】
以下、本考案の実施形態について図に基づいて説明する。なお、これによって本考案が限定されるものではない。
【００１６】
（第１実施形態）
図１を参照する。図１に示すように、本考案の第１実施形態による浴室用浄水器は、蛇口本体１００とシャワーヘッド本体２００との間に連結される。蛇口本体１００とシャワーヘッド本体２００との間には、可撓性を有するホース３００が接続される。本考案の第１実施形態による浴室用浄水器は、筐体１０、警告装置２０及び蓋体３０を含む。
【００１７】
図２を参照する。図２に示すように、筐体１０は、外側螺合部１１、内側螺合部１２、水流通路１３及び少なくとも１つの濾過部材１４を有する。内側螺合部１２は、蛇口本体１００に連結される。濾過部材１４は、スポンジフィルタ、光触媒、活性炭、芳香剤、麦飯石又は沸石である。図２中、濾過部材１４は、柱状のスポンジフィルタである。また、筐体１０はチャンバ１５を有する。濾過部材１４は、チャンバ１５中に配置される。
【００１８】
警告装置２０は、警告灯２１、感温素子２２、表示パネル２３及び電池２４を有する。電池２４は、水銀電池であり、警告装置２０に必要な電力を供給する。感温素子２２は、水流通路１３中に貫設され、水流通路１３内の水温を検出する。警告灯２１は、発光素子であり、水温に基づき、異なる警告メッセージを表示する。水温が設定温度（例えば３８℃）以下のとき、警告灯２１は、緑色に発光する。また、水温が設定温度を超えたとき、警告灯２１は、赤色に発光し、ユーザに警告する。
【００１９】
蓋体３０は、外側螺着部３１及び内側螺着部３２を有する。外側螺着部３１には、ホース３００が装着される。蓋体３０の内側螺着部３２は、筐体１０の外側螺合部１１に螺合固定される。蓋体３０は、水流をガイドするとともに、濾過部材１４をチャンバ１５内に固定するために用いられる。
【００２０】
本考案の第１実施形態による浴室用浄水器は、２つの通水部材４０及び止水パッキン５０をさらに含む。止水パッキン５０及び一方の通水部材４０は、蓋体３０の中間段部に配置される。他方の通水部材４０は、チャンバ１５の底壁上に配置される。２つの通水部材４０は、濾過部材１４をチャンバ１５内に固定する上、水流を通過させるために用いられる。
【００２１】
（第２実施形態）
図３及び図４を参照する。図３及び図４に示すように、第２実施形態による浴室用浄水器は、シャワーヘッド本体６０及び警告装置７０を含む。
【００２２】
シャワーヘッド本体６０は、管部材６１、入水部６２、出水部６３、水流通路６４及び複数の濾過部材６５を有する。管部材６１は、シャワーヘッド本体６０の内側螺着部６６上に螺合固定される。また、管部材６１の内側螺合部６１１には、ホース３００が螺着される。
【００２３】
本考案の第２実施形態による浴室用浄水器は、２つの通水部材４０及び止水パッキン５０をさらに含む。止水パッキン５０及び一方の通水部材４０は、シャワーヘッド本体６０の中間段部に配置される。他方の通水部材４０は、管部材６１のチャンバ６１２の底壁上に配置される。
【００２４】
警告装置７０は、シャワーヘッド本体６０の管部材６１の内部に装着される。警告装置７０は、警告灯７１、感温素子７２、表示パネル７３及び発電ユニット７４を有する。発電ユニット７４は、シャワーヘッド本体６０の出水部６３付近に装着される。これにより、水が出水部６３から噴出されたとき、羽車７４１が回転し、制御装置７４２を介し、動力エネルギーが電気エネルギーに変換される。警告装置７０の警告灯７１、感温素子７２及び表示パネル７３に、この電力が供給されることにより、警告装置７０の正常な運転が維持される。また、制御装置７４２は、蓄電機能を有し、予備用の電力を蓄電することができる。
【００２５】
（第３実施形態）
図５を参照する。本考案の第３実施形態による浴室用浄水器は、蛇口本体１００とホース３００との間、或いは、シャワーヘッド本体２００とホース３００との間に連結される。図５に示すように、本考案の第３実施形態による浴室用浄水器は、筐体１０、警告装置８０及び蓋体３０を含む。
【００２６】
本考案の第３実施形態による浴室用浄水器は、警告装置８０が温度表示装置８１及び感温素子８２を有する点が第１実施形態と異なる。他の構造及び効果は、同じであるため、ここでは、詳しく述べない。また、第３実施形態中、濾過部材１４としては、顆粒状のフィルタを例示する。
【００２７】
（第４実施形態）
図６及び図７を参照する。図６及び図７に示すように、本考案の第４実施形態による浴室用浄水器は、シャワーヘッド本体６０内に装着することができる（図４参照）。或いは、蛇口本体１００とシャワーヘッド本体２００との間に連結することができる（図１参照）。或いは、蛇口本体１００上に装着され、直接、出水口とすることができる（図７参照）。
【００２８】
本考案の第４実施形態による浴室用浄水器は、筐体９０、蓋体９１、警告装置２０及び出水調節ユニット９２を含む。
【００２９】
筐体９０は、外側螺合部９０１、内側螺合部９０２及び水流通路９０３を有する。
【００３０】
蓋体９１は、外側螺着部９１１及び内側螺着部９１２を有する。内側螺着部９１２は、外側螺合部９０１に装着される。蓋体９１は、水流をガイドするために用いられる。
【００３１】
警告装置２０は、警告灯２１、感温素子２２、表示パネル２３、電池２４及び安全弁２５を有する。
【００３２】
安全弁２５は、水流通路９０３中に装着される。これにより、水温が所定高温値に到達したとき、安全弁２５の弁棒２５１が水流通路９０３を封鎖することにより、即座に給水を停止させることができる。これにより、水温が高温の場合でも、給水を停止して安全性を確保することができる。
【００３３】
出水調節ユニット９２は、ケーシング９２１と、中空室９２２と、内ねじ山部９２３と、複数の出水孔９２４を有する出水盤９２５と、第１の分水盤９２６と、第２の分水盤９２７と、調節レバー９２８と、濾過部材９２９と、を有する。第１の分水盤９２６の通水孔の数は、第２の分水盤９２７の通水孔の数より多い。調整レバー９２８を操作することにより、第２の分水盤９２７を回動させ、第１の分水盤９２６の通水孔と第２の分水盤９２７の通水孔との位置関係を変更することにより、出水の態様を制御することができる。
【００３４】
本考案の第４実施形態による浴室用浄水器は、さらに、２つの通水部材４０及び複数の止水パッキン５０を含む。複数の止水パッキン５０は、筐体９０、蓋体９１、ケーシング９２１及び出水盤９２５の各接続部分に装着される。２つの通水部材４０は、ケーシング９２１の中空室９２２に配置される濾過部材９２９の上側及び下側にそれぞれ挟設される。
【００３５】
第４実施形態による浴室用浄水器の濾過浄水機能及び水温監視機能は、前述の実施形態と同じである。図８を参照する。図８に示すように、第４実施形態による浴室用浄水器は、安全弁２５が水流通路９０３中に装着される点が他の実施形態と異なる。これにより、蛇口本体１００から供給される水の水温が所定高温値に到達したことを感温素子２２が検出したとき、安全弁２５の弁棒２５１が外側に押し出されて蓋体９１の貫通孔９１３の孔縁上に当接される。これにより、給水が停止し、火傷などの事故が発生することを防ぐことができる。
【００３６】
（第５実施形態）
図９を参照する。図９に示すように、本考案の第５実施形態による浴室用浄水器は、給電ユニット２６をさらに含む。給電ユニット２６は、電源プラグ２６１及び充電池２６２を含む。電源プラグ２６１は、筐体１０の側壁に設けられた挿入溝１６上に着脱可能に装着される。電源プラグ２６１により、外部電力を警告装置に供給することができる上、予備用として、一部電力を充電池２６２内に蓄電することができる。図１０を参照する。図１０に示すように、蓄電を行わない場合、電源プラグ２６１の金属片を下方に湾曲させて収納することができる。また、挿入溝１６及び電源プラグ２６１の外側に外蓋２６３が被覆されることにより、防水効果を有する。また、電源プラグ２６１の形式を変更することにより、各国のソケットの規格に適用させることができる。
【００３７】
上述したことから分かるように、本考案の浴室用浄水器は、以下（１）〜（４）の長所を有する。
（１）濾過部材による濾過効果により、水道水中の塩素含有量を低減させることができる上、水中の不純物及び雑菌を濾過することができる。これにより、入浴時、除菌された清潔な水を使用することができるため、ユーザが水道水中の塩素により被害を受けたり、雑菌に感染したりする機会を低減することができる。
（２）警告装置により、使用中の水温を監視することができるため、ユーザが入浴しているとき、水温を随時制御することができる。水温が所定温度より高いとき、警告灯が赤色に発光して警告する上、表示パネルにも水温が表示されるため、火傷を防ぐことができる。
（３）使用する際、蛇口本体上に装着することができるのみならず、シャワーヘッドと蛇口本体との間に連結したり、シャワーヘッド本体に一体に連結したりすることができる。これにより、浴室用浄水器を蛇口本体の近く、或いは、シャワーヘッド本体の近くに、着脱可能に配置することができる。さらに、携帯に便利であるため、旅行などに携帯して使用することができる。
（４）安全弁により、高温水の給水を即座に遮断することができるため、ユーザが火傷することを防ぐことができる。
【００３８】
当該分野の技術を熟知するものが理解できるように、本考案の好適な実施形態を前述の通り開示したが、これらは決して本考案を限定するものではない。本考案の主旨と領域を逸脱しない範囲内で各種の変更や修正を加えることができる。従って、本考案の実用新案登録請求の範囲は、このような変更や修正を含めて広く解釈されるべきである。
【符号の説明】
【００３９】
１０  筐体
１１  外側螺合部
１２  内側螺合部
１３  水流通路
１４  濾過部材
１５  チャンバ
１６  挿入溝
２０  警告装置
２１  警告灯
２２  感温素子
２３  表示パネル
２４  電池
２５  安全弁
２６  給電ユニット
３０  蓋体
３１  外側螺着部
３２  内側螺着部
４０  通水部材
５０  止水パッキン
６０  シャワーヘッド本体
６１  管部材
６２  入水部
６３  出水部
６４  水流通路
６５  濾過部材
６６  内側螺着部
７０  警告装置
７１  警告灯
７２  感温素子
７３  表示パネル
７４  発電ユニット
８０  警告装置
８１  温度表示装置
８２  感温素子
９０  筐体
９１  蓋体
９２  出水調節ユニット
１００  蛇口本体
１５１  底壁
２００  シャワーヘッド本体
２５１  弁棒
２６１  電源プラグ
２６２  充電池
２６３  外蓋
３００  ホース
６１１  内側螺合部
６１２  チャンバ
６１３  底壁
７４１  羽車
７４２  制御装置
９０１  外側螺合部
９０２  内側螺合部
９０３  水流通路
９１１  外側螺着部
９１２  内側螺着部
９１３  貫通孔
９２１  ケーシング
９２２  中空室
９２３  内ねじ山部
９２４  出水孔
９２５  出水盤
９２６  第１の分水盤
９２７  第２の分水盤
９２８  調節レバー
９２９  濾過部材
【図１】
0003170397.tif 000003
【図２】
0003170397.tif 000004
【図３】
0003170397.tif 000005
【図４】
0003170397.tif 000006
【図５】
0003170397.tif 000007
【図６】
0003170397.tif 000008
【図７】
0003170397.tif 000009
【図８】
0003170397.tif 000010
【図９】
0003170397.tif 000011
【図１０】
0003170397.tif 000012